(57)【要約】【課題】  建物のサッシ枠に換気機能を持たせるとともに室内側の面に結露が生じるのを防止する。【解決手段】  サッシ枠１０Ｒの枠本体１１の一対の側壁１２の間に隔壁１３を設けて室外側の第１枠内空間１０ａと室内側の第２枠内空間１０ｂを形成し、第１枠内空間１０ａの室外側の開口を第１化粧カバー２１で塞ぎ、第２枠内空間１０ｂの室内側の開口を第２化粧カバー２２で塞ぐ。第１化粧カバー２１に第１換気孔２１ａを形成し、隔壁１３に連通口１３ａを形成し、第２化粧カバー２２に第２換気孔２２ａを形成し、連通口１３ａを開閉装置３０で開閉可能にする。【選択図】  図５
2006328802.tif 000002
【特許請求の範囲】
【請求項１】
（ａ）一対の側壁と、これら側壁どうしの間を第１枠内空間と第２枠内空間とに仕切る隔壁を有し、前記第１枠内空間が室外へ開口され、前記第２枠内空間が室内へ開口され、前記隔壁に連通口が形成された枠本体と、
（ｂ）第１換気孔を有し、前記第１枠内空間の室外への開口を着脱可能に塞ぐ第１化粧カバーと、
（ｃ）第２換気孔を有し、前記第２枠内空間の室内への開口を着脱可能に塞ぐ第２化粧カバーと、
（ｄ）前記第２化粧カバーから室内に露出する操作ツマミを有して前記枠本体の内部に取り付けられ、前記操作ツマミの操作によって前記隔壁の連通口を開閉する開閉装置と、
を備えたことを特徴とする換気機能付きサッシ枠。
【請求項２】
前記第２化粧カバーに前記開閉装置の室内側部のための露出口が形成され、
前記第２換気孔が、前記第２化粧カバーに代えて、前記開閉装置の室内側部に形成されていることを特徴とする請求項１に記載の換気機能付きサッシ枠。
【請求項３】
前記枠本体の第１枠内空間及び／又は第２枠内空間の内面に断熱材を設けたことを特徴とする請求項１又は２に記載の換気機能付きサッシ枠。
【請求項４】
前記第２枠内空間から室外へ向けてドレインを設けたことを特徴とする請求項１〜３の何れかに記載の換気機能付きサッシ枠。
【請求項５】
前記サッシ枠が上下に延びており、前記第１換気孔と前記第２換気孔の高さが互いに異なることを特徴とする請求項１〜４の何れかに記載の換気機能付きサッシ枠。
【請求項６】
前記第１換気孔が前記第１化粧カバーの下側部に配置され、前記第２換気孔が前記第２化粧カバーの上側部に配置されていることを特徴とする請求項５に記載の換気機能付きサッシ枠。
【請求項７】
前記第１化粧カバーの室外側の面を黒色にしたことを特徴とする請求項６に記載の換気機能付きサッシ枠。
【請求項８】
前記側壁の第１枠内空間を形成する第１壁部分と第２枠内空間を形成する第２壁部分とが別体になっており、前記第１壁部分が前記隔壁と一体に連なる一方、前記第２壁部分が前記第２化粧カバーと一体に連なり、これら一体をなす第２壁部分と第２化粧カバーが、第１壁部分に着脱可能に連結されていることを特徴とする請求項１〜７の何れかに記載の換気機能付きサッシ枠。
【請求項９】
請求項１〜８の何れかに記載の開閉装置であって、前記隔壁の連通口を塞ぐ閉位置と、前記連通口を開く開位置との間で変位可能な作動板と、この作動板の変位を前記操作ツマミの操作と連繋する連繋機構とを備えたことを特徴とする換気機能付きサッシ枠の開閉装置。
【発明の詳細な説明】
【技術分野】
【０００１】
この発明は、サッシ枠に関するものであり、特に換気機能を付与したサッシ枠に関するものである。
【背景技術】
【０００２】
一般に、サッシ窓枠は、アルミ型材で構成され、内部がひとつの空洞になっている。
【特許文献１】特開２００１−１７３３２５
【発明の開示】
【発明が解決しようとする課題】
【０００３】
冬季にはサッシ窓枠が外気によって冷やされ屋内側の面に結露が起きやすい。また、枠自体に換気機能が付いていると利便性が向上する。
【課題を解決するための手段】
【０００４】
本発明は、上記問題点を解決するためになされたものであり、換気機能付きサッシ枠であって、
（ａ）一対の側壁と、これら側壁どうしの間を第１枠内空間と第２枠内空間とに仕切る隔壁を有し、前記第１枠内空間が室外へ開口され、前記第２枠内空間が室内へ開口され、前記隔壁に連通口が形成された枠本体と、
（ｂ）第１換気孔を有し、前記第１枠内空間の室外への開口を着脱可能に塞ぐ第１化粧カバーと、
（ｃ）第２換気孔を有し、前記第２枠内空間の室内への開口を着脱可能に塞ぐ第２化粧カバーと、
（ｄ）前記第２化粧カバーから室内に露出する操作ツマミを有して前記枠本体の内部（第1枠内空間でもよく第２枠内空間でもよい）に取り付けられ、前記操作ツマミの操作によって前記隔壁の連通口を開閉する開閉装置と、
を備えたことを特徴とする。これによって、サッシ枠に換気機能を付与できるとともにサッシ枠の室内側の面への結露を抑えることができる。また、枠本体の第１枠内空間等を各種配管又は配線の収容空間として利用することもでき、例えばエアコンの室外機と室内機を繋ぐホース等を納めることもできる。このとき外観を損なうこともない。
【０００５】
前記枠本体は、前記一対の側壁と前記隔壁とを一体に有して大略Ｈ断面をなすアルミ型材にて構成されていることが好ましい。
【０００６】
前記側壁の第１枠内空間を形成する第１壁部分と第２枠内空間を形成する第２壁部分とが、別体になっていてもよい。これら第１、第２壁部分の何れか一方に前記隔壁が一体に連なっていてもよい。前記第１壁部分が前記隔壁と一体に連なる一方、前記第２壁部分が前記第２化粧カバーと一体に連なり、これら一体をなす第２壁部分と第２化粧カバーが、第１壁部分に着脱可能に連結されていてもよい。これによって、サッシ枠の室内側部への結露を一層確実に防止することができる。
【０００７】
前記第２化粧カバーに前記開閉装置の室内側部のための露出口が形成され、
前記第２換気孔が、前記第２化粧カバーに代えて、前記開閉装置の室内側部に形成されていてもよい。
【０００８】
好ましくは、前記枠本体の第１枠内空間及び／又は第２枠内空間の内面に断熱材を設ける。これによって、サッシ枠の室内側の面への結露を一層確実に防止できる。
好ましくは、前記第２枠内空間から室外へ向けてドレインを設ける。これによって、第２枠内空間の内面に結露が出来た場合、これを室外に排出することができる。
【０００９】
前記開閉装置は、前記第１枠内空間に収容されていてもよく前記第２枠内空間に収容されていてもよくこれら枠内空間に跨っていてもよい。
前記開閉装置が、前記第２枠内空間に収容されるとともに、この開閉装置の内部が、前記連通口と第２換気孔とを連通する連通路になっていてもよい。さらに、前記開閉装置の内部すなわち前記連通路が、前記第２枠内空間から隔てられ、第１枠内空間が、第２枠内空間を介することなく室内と連通していてもよい。前記第２化粧カバーに前記第２枠内空間と室内とを連通する通気孔が前記第２換気孔とは別途に形成されていてもよい。
前記開閉装置は、前記隔壁の連通口を塞ぐ閉位置と、前記連通口を開く開位置との間で変位可能な作動板と、この作動板の変位を前記操作ツマミの操作と連繋する連繋機構とを備えているのが好ましい。
【００１０】
前記サッシ枠が上下に延びており、前記第１換気孔と前記第２換気孔の高さが互いに異なることが望ましい。これによって、風や雨水が室内に直接的に入り込むのを防止できる。
【００１１】
前記第１換気孔が前記第１化粧カバーの下側部に配置され、前記第２換気孔が前記第２化粧カバーの上側部に配置されていることが望ましい。これによって、風や雨水が室内に直接的に入り込むのを一層確実に防止できる。
【００１２】
前記第１化粧カバーの室外側の面を黒色にするのが望ましい。これによって、第１化粧カバーに吸熱性を持たせることができ、第１枠内空間で空気を暖めて室内へ送り込むことができ、暖房効果を持たせることができる。
【発明の効果】
【００１３】
本発明によれば、サッシ枠に換気機能を付与できるとともにサッシ枠の室内側の面に結露が生じるのを防止できる。
【発明を実施するための最良の形態】
【００１４】
以下、本発明の第１実施形態を図面にしたがって詳述する。
図１は、建物のテラス窓を示したものである。建物の躯体１には、テラス窓用の開口１ａが設けられている。図１及び図２に示すように、この躯体１の開口１ａの左右の両縁にサッシ枠１０（縦枠、方立）が取り付けられている。サッシ枠１０は垂直に延びている。左右のサッシ枠１０，１０の間に引き戸障子２が設けられている。詳細な図示は省略するが、左右のサッシ枠１０，１０の上端部どうしと下端部どうしは、横枠を介して互いに連結されて構造的に一体化されている。
【００１５】
左右のサッシ枠１０，１０を区別するときは、左側のサッシ枠には符号１０に「Ｌ」を付し、右側のサッシ枠には符号１０に「Ｒ」を付すことにする。
【００１６】
図３〜図５に示すように、サッシ枠１０は、枠本体１１と、第１化粧カバー２１と、第２化粧カバー２２とを備えている。
【００１７】
枠本体１１は、アルミ型材にて構成され、上下方向に長く延びている。枠本体１１は、一対の側壁１２と、これら側壁１２の中間部どうしを連ねる隔壁１３とを一体に有して大略Ｈ断面をなしている。枠本体１１の内部（一対の側壁１２どうしの間の空間）は、隔壁１３によって屋外（室外）側の第１枠内空間１０ａと、屋内（室内）側の第２枠内空間１０ｂとに仕切られている。第１枠内空間１０ａは屋外へ開口され、第２枠内空間１０ｂは屋内へ開口されている。
【００１８】
第１枠内空間１０ａの屋外への開口は、第１化粧カバー２１にて塞がれている。第１化粧カバー２１は、アルミで出来、平板状をなして上下に長く延びている。第１化粧カバー２１の左右の両縁には爪２１ｆが設けられている。この爪２１ｆが枠本体１１の側壁１２の屋外側端部の係止部１２ｆに引っ掛けられている。これによって、第１化粧カバー２１が枠本体１１に着脱可能に取り付けられている。
【００１９】
第１化粧カバー２１の屋外側の面には黒色の塗装が施されている。これにより、第１化粧カバー２１に吸熱性ないし保熱性が付与されている。
【００２０】
第２枠内空間１０ｂの屋内への開口は、第２化粧カバー２２にて塞がれている。第２化粧カバー２２は、アルミで出来、平板状をなして上下に長く延びている。第２化粧カバー２２の左右の両縁には爪２２ｆが設けられている。この爪２２ｆが枠本体１１の側壁１２の屋内側端部の係止部１２ｇに引っ掛けられている。これによって、第２化粧カバー２２が枠本体１１に着脱可能に取り付けられている。
【００２１】
図１及び図４に示すように、テラス窓の左側のサッシ枠１０Ｌは、換気機構を有していない。このサッシ枠１０Ｌの第１化粧カバー２１及び第２化粧カバー２２には通気ないし換気用の孔が設けられていない。第１枠内空間１０ａと第２枠内空間１０ｂは、それぞれ閉鎖空間になっており、隔壁１３によって完全に遮断され連通していない。
【００２２】
一方、図１及び図５に示すように、テラス窓の右側のサッシ枠１０Ｒは、換気機構を有している。換気機構は次のように構成されている。
図３及び図５に示すように、この換気機能付きのサッシ枠１０Ｒの第１化粧カバー２１には多数の第１換気孔２１ａが形成されている。第１換気孔２１ａは、第１化粧カバー２１の下側部に偏って配置され、各々左右に延びるスリット状をなし、互いに上下に狭い間隔で一列に並べられている。第１換気孔２１ａを介して第１枠内空間１０ａが屋外へ連通されている。
【００２３】
換気機能付きサッシ枠１０Ｒの隔壁１３には、連通口１３ａが形成されている。連通口１３ａは、枠本体１１の上側部に偏って配置されている。連通口１３ａは、上下に細長く、２つに分かれているが、これに限定されるものではなく、連通口１３ａの形、大きさ（長さ）、数等は適宜設定可能である。連通口１３ａは、開閉装置３０によって開閉されるようになっている。
【００２４】
開閉装置３０は、上下に細長い容器状の装置本体３１と、この装置本体３１内に格納された開閉機構とを備えている。装置本体３１が、第２枠内空間１０ｂに収容され、隔壁１３の屋内側面にボルトやブラケットを用いて着脱可能に設置されている。装置本体の隔壁１３側の背板３２は、連通口１３ａに被さっている。この背板３２に透孔３２ａが形成されている。開閉機構が「開」のとき、連通口１３ａが透孔３２ａを介して装置本体３１の内部に連通するようになっている。
【００２５】
装置本体３１の内部空間と枠本体１１の第２枠内空間１０ｂとは、装置本体３１によって隔てられている。
【００２６】
開閉装置３０の開閉機構は、作動板３３と、カム３６を有している。作動板３３は、装置本体３１の背板３２の内面に添うように上下に延びている。作動板３３は、背板３２に接近する閉位置（図５の実線）と背板３２から屋内側へ離間した開位置（図５の仮想線）との間でスライド変位可能に配置されている。作動板３３は、バネ（図示せず）によって開位置の方向へ付勢されている。作動板３３の背板対向面には、パッキン３４が貼られている。
【００２７】
装置本体３１の内部には上下（図５の紙面直交方向）に延びるシャフト３５が設けられている。このシャフト３５にカム３６が固定されている。
【００２８】
装置本体３１の下側部には操作ツマミ３７が設けられている。操作ツマミ３７は、プッシュ形式でもよくレバー形式でもよい。この操作ツマミ３７によって、シャフト３５ひいてはカム３６がシャフト３５の軸線まわりに約９０度の角度範囲で回転され、ひいては作動板３３が閉位置と開位置の間でスライド変位されるようになっている。
カム３６及びシャフト３５並びに図示しないバネは、作動板３３の変位と操作ツマミ３７の操作を連繋する連繋機構を構成している。
【００２９】
図５の実線に示すように、閉位置では、カム３６が作動板３３をバネに抗して背板３２に押し付けている。これによって、パッキン３４が背板３２の透孔３２ａを塞ぎ、ひいては隔壁１３の連通口１３ａを塞いでいる。
【００３０】
図５の仮想線に示すように、開位置では、カム３６が横を向き作動板３３及びパッキン３４が背板３２から離れる。これによって、隔壁１３の連通口１３ａが、背板３２の透孔３２ａを介して開閉装置本体３１の内部と連通される。
【００３１】
図３及び図５に示すように、換気機能付きサッシ枠１０Ｒの第２化粧カバー２２には、多数の第２換気孔２２ａが形成されている。第２換気孔２２ａは、各々左右に延びるスリット状をなし、互いに上下に狭い間隔で一列に並べられている。第２換気孔２２ａは、第２化粧カバー２２の上側部に偏り、開閉装置３０と同じ高さに配置されている。第２換気孔２２ａを介して開閉装置本体３１の内部（連通路）ひいては隔壁１３の連通口１３ａが屋内へ連通されている。
【００３２】
第２化粧カバー２２の第２換気孔２２ａの列の左右両側には、多数の通気孔２２ｅが形成されている。通気孔２２ｅは、各々第２換気孔２２ａより短いスリット状をなし、第２換気孔２２ａを挟んで左右２列をなして上下に狭い間隔で並べられている。通気孔２２ｅを介して第２枠内空間１０ｂが屋内へ連通されている。
【００３３】
更に、換気機能付きのサッシ枠１０Ｒにはドレイン５０が設けられている。ドレイン５０は、次のように構成されている。
枠本体１１の隔壁１３の下端部には切欠きが設けられ、これに排水弁５１が嵌め込まれている。排水弁５１は、流体の第２枠内空間１０ｂから第１枠内空間１０ａへの流れのみを許容する逆止弁になっている。これにより、屋外の風が第１枠内空間１０ａに吹き込んでくると閉まり、風を遮断するようになっている。一方、排水弁５１は、第２枠内空間１０ｂの下端部に水が溜まると開き、第１枠内空間１０ａへ流出させるようになっている。第１化粧カバー２１の下端部には、上記の水を排出する排水口５２が形成されている。
【００３４】
上記構成のサッシ枠１０によれば、内部が屋外側と屋内側の二室に仕切られているので、第２化粧カバー２２の屋内側の面に結露が生じにくい。特に、右側の換気機能付きのサッシ枠１０Ｒにおいては、屋内の空気が通気孔２２ｅを介して第２枠内空間１０ｂに入り込むことができるので、たとえ結露が出来ても主に隔壁１３の屋内側面に出来ることになる。これによって、第２化粧カバー２２の屋内側の面には結露が生じないようにすることができる。隔壁１３の屋内側面に付いた結露は、そのうち第２枠内空間１０ｂの下端部に溜まり、その後、排水弁５１及び排水口５２を経て屋外へ排出される。
【００３５】
更に、右側のサッシ枠１０Ｒにおいては、開閉装置３０を開くと（図５の仮想線）、屋外が、第１換気孔２１ａ、第１枠内空間１０ａ、連通口１３ａ、透孔３２ａ、装置本体３１の内部、第２換気孔２２ａを順次介して屋内に通じる。これにより、サッシ枠１０Ｒを介して屋外と屋内の換気を行なうことができる。
開閉装置３０を閉じると（図５の実線）、換気を遮断することができる。
開閉装置３０の開時においても閉時においても、第２化粧カバー２２の屋内側の面への結露を確実に防止することができる。
【００３６】
開閉装置３０の開時すなわち換気時には、外気は、サッシ枠１０Ｒの下側部の第１換気孔２１ａから第１枠内空間１０ａ内に入り、第１枠内空間１０ａ内を上昇し、サッシ枠１０Ｒの上側部の開閉装置３０内を経て屋内へ送られる。
屋外に面した第１化粧カバー２１は、太陽光等が当たると高温になる。しかも、第１化粧カバー２１の表面は黒色処理されているので、吸熱性が良く、より高温にすることができる。これによって、換気時、第１換気孔２１ａから第１枠内空間１０ａ内に入った外気を暖めながら上昇させることができる。この暖められた外気を屋内へ送り込むことができ、暖房効果を得ることができる。
【００３７】
第１換気孔２１ａと第２換気孔２２ａの高さが互いに異なっているので、外気や雨水が真っ直ぐ屋内へ吹き込んで来るのを防止できる。しかも、屋外側の第１換気孔２１ａが下側に配置され、屋内側の第２換気孔２２ａが上側に配置されているので、外気や雨水の屋内への吹き込みを確実に防止することができる。
【００３８】
第１枠内空間１０ａは、各種流体用配管や電気配線の収容空間として利用することもできる。例えば、図５に示すように、エアコンの室外機と室内機を繋ぐホース７０を納めることもできる。エアコンホース７０は、第１化粧カバー２１によって隠すことができる。したがって、外観が損なわれることはない。一方、第１化粧カバー２１を外せば、エアコンホース７０を簡単に確認することができ、メンテナンスの容易化を図ることができる。
第２枠内空間１０ｂについても開閉装置３０が邪魔にならない限り各種流体用配管や電気配線の収容空間として利用することができる。
図４に示すように、左側の換気機能の無いサッシ枠１０Ｌについても同様に第１枠内空間１０ａや第２枠内空間１０ｂをエアコンホース７０等の各種流体用配管や電気配線の収容空間として利用することができる。
【００３９】
次に、本発明の他の実施形態について説明する。以下の実施形態において既述の構成に関しては、図面に同一符号を付して説明を省略する。
図６に示す実施形態では、枠本体１１の第１枠内空間１０ａの内面と第２枠内空間１０ｂの内面に断熱材６０が設けられている。断熱材６０は、長尺の板状やブロック状をなす乾式断熱材であってもよく、吹き付けて発泡させ吹き付け式断熱材であってもよい。乾式断熱材は、着脱可能であるのが好ましい。
【００４０】
これによって、第２化粧カバー２２の屋内側の面の結露は勿論のこと、隔壁１３の第２枠内空間１０ｂ側の面の結露をも防止することができる。第１枠内空間１０ａ及び第２枠内空間１０ｂは第１化粧カバー２１及び第２化粧カバー２２で覆われるため、断熱材６０が外から見えることなく、美観が損なわれることがない。
【００４１】
図６は、換気機能の無いサッシ枠１０Ｌを示したものであるが、換気機能付きのサッシ枠１０Ｒにも断熱材６０を設けるとよい。
断熱材６０は、枠本体１１の第１枠内空間１０ａの内面と第２枠内空間１０ｂの内面の両方に設けられているが、何れか片側の枠内空間１０ａ又は１０ｂの内面にだけ設けることにしてもよい。
【００４２】
第１換気孔２１ａの配置位置は、サッシ枠１０の下側部に限られない。図７（ａ）に示すように、第１換気孔２１ａは、第１化粧カバー２１の上側部に配置してもよく、同図（ｂ）に示すように、中ほどの高さに配置してもよく、同図（ｃ）に示すように、上下ほぼ全長にわたって設けることにしてもよい。
【００４３】
第２換気孔２２ａ及び通気孔２２ｅの配置位置は、サッシ枠１０の上側部に限られない。図８（ａ）に示すように、第２換気孔２２ａ及び通気孔２２ｅは、第２化粧カバー２２の下側部に配置してもよく、同図（ｂ）に示すように、中ほどの高さに配置してもよく、同図（ｃ）に示すように、上下ほぼ全長にわたって設けることにしてもよい。
【００４４】
第１換気孔２１ａの配置位置と通気孔２２ｅ及び第２換気孔２２ａの配置位置の相互関係は、適宜組み合わせることができる。例えば、第１換気孔２１ａをサッシ枠１０の上側部に配置し、通気孔２２ｅ及び第２換気孔２２ａをサッシ枠１０の下側部に配置することにしてもよい。第１換気孔２１ａと通気孔２２ｅ及び第２換気孔２２ａとは、上下に異なる位置に配置するのが好ましい。
化粧カバー２１，２２が枠本体１１に着脱可能になっているので、建物の供用後であっても要求に応じて適宜付け替えることができ、孔２１ａ，２２ｅ，２２ａの位置を適宜変更することができる。
化粧カバー２１，２２の付け替えにより、外観意匠を自由に変更することができる。
【００４５】
図９に示す実施形態では、開閉装置３０の装置本体３１の屋内側の開口端部が、第２化粧カバー２２より屋外側に離れ、第２枠内空間１０ｂの中間部に位置されている。装置本体３１の内部空間は第２枠内空間１０ｂに連なり、この第２枠内空間１０ｂが第２化粧カバー２２の第２換気孔２２ａに連なっている。この実施形態の第２換気孔２２ａは、第１実施形態の通気孔２２ｅの役目も兼ねている。
【００４６】
第２換気孔は、第２化粧カバー２２に代えて開閉装置３０に設けられていてもよい。
すなわち、図１０に示す実施形態では、開閉装置３０の装置本体３１に前壁３８（屋内側部）が設けられている。この前壁３８に第２換気孔３８ａが形成されている。
第２化粧カバー２２には露出口２２ｃが形成されている。この露出口２２ｃに開閉装置３０の前壁３８が嵌め込まれ、前壁３８が屋内に露出されている。
【００４７】
図１１に示す実施形態では、側壁１２の屋外側の第１枠内空間１０ａを形成する第１壁部分１２Ａと、屋内側の第２枠内空間１０ｂを形成する第２壁部分１２Ｂとが、互いに別体になっている。第２壁部分１２Ｂに隔壁１３が一体に連なっている。第１壁部分１２Ａと第２壁部分１２Ｂとは、断熱性樹脂からなるブリッジ８０にて連結されている。ブリッジ８０は、第１枠内空間１０ａに面している。隔壁１３が第２壁部分１２Ｂとではなく第１壁部分１２Ａと一体になっていてもよく、ブリッジ８０が第２枠内空間１０ｂに面していてもよい。
これによって、側壁１２の第１壁部分１２Ａと第２壁部分１２Ｂを熱的に遮断することができ、サッシ枠１０の屋内側部への結露発生を確実に防止することができる。
【００４８】
図１２に示す実施形態では、図１１実施形態と同様に側壁１２が第１壁部分１２Ａと第２壁部分１２Ｂとに分離されている。一方、隔壁１３は第１壁部分１２Ａと一体になっている。加えて、第２壁部分１２Ｂと第２化粧カバー２２が一体に連なり、断面コ字状の壁付きカバー２５を構成している。この壁付きカバー２５の第２壁部分１２Ｂの屋外側の縁にフック１６が取り付けられている。フック１６は、金物にて構成されているが、壁付きカバー２５と一体の爪状になっていてもよい。このフック１６が、第１壁部分１２Ａに設けられた係止部１２ｈに着脱可能に係合されている。ひいては、壁付きカバー２５が、第１壁部分１２Ａに対し着脱可能に連結されている。
【００４９】
上記の係合状態で、第１壁部分１２Ａの外側面に第２壁部分１２Ｂが重ねられており、この重なり部分どうし間にパッキン８１が設けられている。パッキン８１は、第１壁部分１２Ａに貼り付けてもよく、第２壁部分１２Ｂに貼り付けてもよい。パッキン８１を省き、第１壁部分１２Ａと第２壁部分１２Ｂの重なり部分どうし間に隙間が形成されるようにしてもよい。
この図１２の実施形態によれば、第１壁部分１２Ａと第２壁部分１２Ｂとを熱的に遮断でき、サッシ枠１０の屋内側部に結露が発生するのを一層確実に防止することができる。
なお、第１化粧カバー２１には、第１壁部分１２Ａの係止部１２ｆと係合するための金物からなるフック２１ｇが設けられているが、第１実施形態と同様に、第１化粧カバー２１と一体の爪２１ｆを設けることにしてもよい。
【００５０】
更に、本発明は、上記実施形態に限定されず、種々の改変をなすことができる。
例えば、第１実施形態の左側のサッシ枠１０Ｌのように換気機構の無いものにおいて、第２化粧カバー２２に通気孔２２ｅを形成することにしてもよい。これにより、第２化粧カバー２２の屋内側の面に結露が出来るのを確実に防止することができる。この場合、隔壁１３の第２枠内空間１０ｂ側面に出来た結露を排出ためのドレイン５０を設けるのが好ましい。
左側のサッシ枠１０Ｌにも換気機構を設けることにしてもよい。
【００５１】
第１枠内空間１０ａに空気を暖める器具（ヒータや熱交換器）を装着することにしてもよい。
第１化粧カバー２１に熱反射性ないし放熱性を持たせることにしてもよい。これにより、夏季や温暖地において、暖かい外気が更に加温されて屋内に送られるのを防止することができる。
【００５２】
本発明は、テラス窓に限らず、建物の種々の窓に適用できる。住宅用の建物の窓にもオフィスビルの窓にも適用できる。
【図面の簡単な説明】
【００５３】
【図１】本発明の第１実施形態を示し、建物のテラス窓の平面図である。
【図２】上記テラス窓のサッシ枠の側面図である。
【図３】換気機能付きのサッシ枠の分解斜視図である。
【図４】換気機能の無いサッシ枠の平面断面図である。
【図５】換気機能付きのサッシ枠の平面断面図である。
【図６】サッシ枠の枠内空間の内面に断熱材を設けた変形例を示す平面断面図である。
【図７】（ａ）〜（ｃ）は、第１化粧カバーの第１換気孔の配置位置の変形例を示す正面図である。
【図８】（ａ）〜（ｃ）は、第２化粧カバーの第２換気孔及び通気孔の配置位置の変形例を示す正面図である。
【図９】開閉装置の奥行きが小さい実施形態を示す換気機能付きサッシ枠の平面断面図である。
【図１０】開閉装置が屋内に露出した実施形態を示す換気機能付きサッシ枠の平面断面図である。
【図１１】側壁の屋外部分と屋内部分が別体になった換気機能付きサッシ枠の実施形態を示す平面断面図である。
【図１２】側壁の屋外部分と屋内部分が別体になるとともに上記屋内部分と第２化粧カバーが一体になった換気機能付きサッシ枠の実施形態を示す平面断面図である。
【符号の説明】
【００５４】
１０Ｌ  換気機能の無いサッシ枠
１０Ｒ  換気機能付きのサッシ枠
１０ａ  第１枠内空間
１０ｂ  第２枠内空間
１１    枠本体
１２    側壁
１２Ａ  第１壁部分
１２Ｂ  第２壁部分
１３    隔壁
１３ａ  連通口
２１    第１化粧カバー
２１ａ  第１換気孔
２２    第２化粧カバー
２２ａ  第２換気孔
２２ｃ  露出口
２２ｅ  通気孔
２５    壁付きカバー
３０    開閉装置
３１    開閉装置本体（連通口と第２換気孔の連通路の形成部材）
３３    作動板
３５    シャフト
３６    カム
３７    操作ツマミ
３８    前壁（開閉装置の室内側部）
５０    ドレイン
５１    排水弁
５２    排水口
６０    断熱材
７０    エアコンホース
８０    ブリッジ
８１    パッキン
【図１】
2006328802.tif 000003
【図２】
2006328802.tif 000004
【図３】
2006328802.tif 000005
【図４】
2006328802.tif 000006
【図５】
2006328802.tif 000007
【図６】
2006328802.tif 000008
【図７】
2006328802.tif 000009
【図８】
2006328802.tif 000010
【図９】
2006328802.tif 000011
【図１０】
2006328802.tif 000012
【図１１】
2006328802.tif 000013
【図１２】
2006328802.tif 000014